(57)【要約】【課題】  側面パネルと柱を繋ぐ取付具が柱の外周回りにずれた位置でも柱に取り付け自在で且つ強固に取り付けできる組立建物を提供する。【解決手段】  本発明の組立建物１は、柱３と、側面パネル５と、左右の取付具７、８とを備え、柱３は側面パネル取付側の左コーナ部１３及び右コーナ部１５を湾曲形状とした横断面略矩形であり、左右の取付具７、８はそれぞれ柱３のコーナ部１３、１５を呑み込む凹部２５を有し、且つ凹部２５内に柱３の外周周り方向に設けたぎざぎざ面２７を有し、左右の取付具７、８を柱３の外周回りにずらしたときに左右の取付具７、８の各ぎざぎざ面２７は少なくとも２点が柱３の外周面に当接自在としてある。【選択図】      図１
2005146660.tif 000002
【特許請求の範囲】
【請求項１】
柱と、側面パネルと、左右の取付具とを備え、柱は側面パネル取付側の左コーナ部及び右コーナ部を湾曲形状とした横断面略矩形であり、左取付具は柱の左コーナ部と側面パネルを繋いでおり、右取付部は柱の右コーナ部と側面パネルを繋いでおり、左右の取付具はそれぞれ柱のコーナ部を呑み込む凹部を有し、且つ凹部内に柱の外周周り方向に設けたぎざぎざ面を有し、左右の取付具を柱の外周回りにずらしたときに左右の取付具の各ぎざぎざ面は少なくとも２点が柱の外周面に当接自在であることを特徴とする組立建物。
【発明の詳細な説明】
【技術分野】
【０００１】
本発明は、カーポート等の組立建物に関する。
【背景技術】
【０００２】
特許文献１には、横断面が矩形の柱と側面パネルを、左右の取付具により繋いだ組立建物が開示されている。
【０００３】
【特許文献１】特開平９−１１２０５８号公報
【発明の開示】
【発明が解決しようとする課題】
【０００４】
しかし、この特許文献１の構造では柱の立地条件により、柱の外周周りにずれた位置に取付具を固定する必要がある場合には対応することができなかった。仮に、特許文献１において柱の外周回りにずれた位置で取付具を柱に固定するとすれば、異なる種類の取付具が必要になり、施工が煩雑になるとともに部品種類が多くなるという問題がある。
【０００５】
そこで、本発明は、側面パネルと柱を繋ぐ取付具が柱の外周回りにずれた位置でも柱に取り付け自在で且つ強固に取り付けできる組立建物の提供を目的とする。
【課題を解決するための手段】
【０００６】
請求項１に記載の発明は、柱と、側面パネルと、左右の取付具とを備え、柱は側面パネル取付側の左コーナ部及び右コーナ部を湾曲形状とした横断面略矩形であり、左取付具は柱の左コーナ部と側面パネルを繋いでおり、右取付部は柱の右コーナ部と側面パネルを繋いでおり、左右の取付具はそれぞれ柱のコーナ部を呑み込む凹部を有し、且つ凹部内に柱の外周周り方向に設けたぎざぎざ面を有し、左右の取付具を柱の外周回りにずらしたときに左右の取付具の各ぎざぎざ面は少なくとも２点が柱の外周面に当接自在であることを特徴とする。
【発明の効果】
【０００７】
請求項１に記載の発明によれば、柱は左コーナ部と右コーナ部とを湾曲形状としてあり、左右の取付具の各凹部が柱のコーナ部を呑み込んでいるので、柱が外周回りのずれた位置にあっても左右の取付具と柱とを固定できる。しかも、各取付具の呑み込み凹部のぎざぎざ面は少なくとも２点が柱の外周面に当接するので、左右の取付具と柱とを強固に取り付けることができる。
【発明を実施するための最良の形態】
【０００８】
以下に、添付図面を参照して本発明の実施の形態を説明する。図１の（ａ）は図２に示す組立建物のＡ―Ａ断面図であり、（ｂ）は左右の取付具を柱の外周回りにずれた位置で柱に取り付けた状態を示す断面図であり、図２は本実施の形態にかかる組立建物の平面図であり、図３は図２に示す組立建物の正面図であり、図４は図２に示す組立建物の側面図である。尚、図１（ｂ）で抜き出して示すのは拡大図である。
本実施の形態にかかる組立建物１はカーポートであり、柱３と、側面パネル５と、左右の取付具７、８とを備えており、対向する柱３、３間には梁９が架設されている。また、梁９と柱３には屋根１１が架設ある。
柱３は、横断面が略矩形であり、側面パネル５の取付側の左コーナ部１３及び右コーナ部１５は外周面が湾曲形状としてある。
側面パネル５は、パネル枠１７の内周にパネル材１９が嵌めてある。
左取付具７は、柱３の左コーナ部１３と側面パネル５とを繋いでおり、右取付具８は柱３の右コーナ部１５と側面パネル５とを繋いでいる。左右の取付具７、８はそれぞれ同一形状であり、パネル固定部２１と柱固定部２３とを有している。左右の取付具７、８の各柱固定部２３は凹部２５を有しており、左固定具７の凹部２５は柱３の左コーナ部１３を呑み込んでおり、右固定具８の凹部２５は柱３の右コーナ部１５を呑み込んでいる。各凹部２５はそれぞれ左右の各コーナ部１３、１５に沿って湾曲した形状になっている。
左右固定具７、８の各凹部２５には内周面全体に亘って柱３の外周周り方向に設けたぎざぎざ面２７が形成されており、各凹部２５ではぎざぎざ面２７の少なくとも２点（図１（ｂ）のＳ１、Ｓ２）が柱３の外周面に当接自在になっている。
左右の取付具７、８の各パネル固定部２１はパネル枠１７にネジ２９により固定しており、各柱固定部２３はネジ３１により柱３に固定してある。
【０００９】
次に、本実施の形態にかかる組立建物１の施工及び効果について説明する。組立建物１の施工において、柱３と側面パネル５との連結は、左取付具７の凹部２５に柱の左コーナ部１３を飲み込ませ、右取付具８の凹部２５に柱３の右コーナ部１３を飲み込ませて左右の取付具７、８を配置し、柱固定部２３に柱３をネジ３１で固定して、側面パネル５に左右の取付具７、８の各パネル固定部２１をそれぞれネジ２９止めし、柱３と側面パネル５とを左右の取付具７、８により繋ぐ。
一方、図２に一点鎖線で示すように、土地の制約や障害物があるために柱３ａをカーポート１の前後にずらして立設する必要がある場合には、梁９が側面パネル５に対して斜めになるため、柱３は所定角度回転した位置にある。
このように柱３が所定角度回転した位置にあるときには、図１の（ｂ）に示すように、左右の取付具７、８を柱３の外周周りにずらした位置で取り付ける。左右の取付具７、８の各凹部２５はそれぞれ柱３の外周周りにずれた位置で左コーナ部１３又は右コーナ部１５を呑み込ませ、取付具７、８の柱固定部２３に柱３をねじ３１で固定し、左右の取付具７、８のパネル固定部２１を側面パネル５にねじ２９で固定する。
【００１０】
柱３は左コーナ部１３と右コーナ部１５とを湾曲形状としてあり、左取付具７の呑み込み凹部２５が柱３の左コーナ部１３を呑み込み、右取付具８の呑み込み凹部２５が柱３の右コーナ部１５を呑み込みんでいるので、図１の（ｂ）に示すように、柱３の外周回りにずれた位置で左右の取付具７、８を取り付けた場合でも、左右の取付具７、８はそれぞれコーナ部１３、１５を呑み込んだ状態を保持できる。さらに、左右の取付具７、８の各凹部２５に形成したぎざぎざ面２７の少なくも２点（Ｓ１、Ｓ２）が柱３の外周面に当接しているので、柱３が外周回りのずれた位置にあっても左右の取付具７、８と柱３とを固定でき、しかも強固に取り付けることができる。
左右の取付具７、８は柱３の外周周りに任意の角度ずれた位置で取り付けでき、施工の自由度が高い。
左右の取付具７、８は、柱３の外周回りにずれた位置で取り付けたものと、ずれていない位置で取り付けるものとで共通して同種のものを用いることができる。
また、本実施の形態では、左右の取付具７、８において、横断面形状が同一であり同一種類のものを用いることができる。
【００１１】
本発明は、上述した実施の形態に限らず、本発明の要旨を逸脱しない範囲で種々変形可能である。
例えば、組立建物１はカーポートに限らず、テラスや、物置等の簡易家屋であってもよい。
凹部２５に設けるぎざぎざ２７のピッチや大きさ（突部の高さ）は制限されない。
【図面の簡単な説明】
【００１２】
【図１】（ａ）は図２に示す組立建物のＡ―Ａ断面図であり、（ｂ）は左右の取付具を柱の外周回りにずらした位置で柱に取り付けた状態を示す断面図である。
【図２】本実施の形態にかかる組立建物の平面図である。
【図３】図２に示す組立建物の正面図である。
【図４】図２に示す組立建物の側面図である。
【符号の説明】
【００１３】
１      組立建物
３      柱
５      側面パネル
７      左取付具
８      右取付具
１３    左コーナ部
１５    右コーナ部
２５    凹部
２７    ぎざぎざ面
Ｓ１、Ｓ２  ぎざぎざ面の当接部
【図１】
2005146660.tif 000003
【図２】
2005146660.tif 000004
【図３】
2005146660.tif 000005
【図４】
2005146660.tif 000006